(57)【要約】  【課題】モータが発生するノイズの除去機能を有し、モータと外部コネクタの本体側端子とを容易に接続するのに好適な中継コネクタを提供する。  【手段】中継コネクタ１００は、モータ端子２３，２４、第１の外部端子２２０ａ及び第２の外部端子２２０ｂを挿入口１２１，１２２，１３１，１３２を有する。第１の外部端子２２０ａとモータ端子２３，２４とを中継して接続するグランドコンタクトＹと、第２の外部端子２２０ｂとモータ端子２３，２４とを中継して接続する電源コンタクトＸと、このグランドコンタクトＹとモータ２０の外面の一部と接続するアースコンタクト１８０と、を備え、アースコンタクト１８０は、モータ２０の外形の一部と接触する第１の接触部１８０ｇと、グランドコンタクトＹ側の一部と接触する第２の接触部１８０ｂ，１８０ｃと、を有する。  【選択図】  図２
2006351294.tif 000002
【特許請求の範囲】
【請求項１】
モータ端子（２３，２４）を設けてなるモータ（２０）と、外部コネクタ（２００）とを中継して接続する中継コネクタ（１００）であって、
前記外部コネクタ（２００）は、グランド側に接続する第１の外部端子（２２０ａ）と、前記モータ（２０）に電力を供給する第２の外部端子（２２０ｂ）と、を備え、
前記中継コネクタ（１００）は、
前記モータ端子（２３，２４）、第１の外部端子（２２０ａ）及び第２の外部端子（２２０ｂ）を挿入するための挿入口（１２１，１２２，１３１，１３２）を有すると共に、
前記第１の外部端子（２２０ａ）と前記モータ端子（２３，２４）とを中継して接続するグランドコンタクト（Ｙ）と、前記第２の外部端子（２２０ｂ）と前記モータ端子（２３，２４）とを中継して接続する電源コンタクト（Ｘ）と、前記グランドコンタクト（Ｙ）及びモータ（２０）の外面の一部と接続するアースコンタクト（１８０）と、を備え、
前記アースコンタクト（１８０）は、前記モータ（２０）の外面の一部と接触する第１の接触部（１８０ｇ）と、グランドコンタクト（Ｙ）側の一部と接触する第２の接触部（１８０ｂ，１８０ｃ）と、を有することを特徴とする中継コネクタ。
【請求項２】
第１の接合面（１２０）及び第２の接合面（１３０）を有するハウジング（１１０）を備え、前記第１の接合面は、前記モータ（２０）のモータ端子（２３）に接続される第１中継端子（１４０）を有し、前記第２の接合面（１３０）は、前記第１の接合面（１２０）とは異なる面に設けられ、前記外部端子（２２０）に接続される第２中継端子（１５０）を有し、前記第１中継端子（１４０）と前記第２中継端子（１５０）は、前記ハウジング（１１０）内で電気的に接続していることを特徴とする請求項１に記載の中継コネクタ。
【請求項３】
前記第２中継端子（１５０）は、この第２中継端子（１５０）に対する外部端子（２２０）の接続方向が、前記モータ端子（２３）に対する第１中継端子（１４０）の接続方向に対して直角となるように前記第２の接合面（１３０）に設けられていることを特徴とする請求項２に記載の中継コネクタ。
【請求項４】
前記第１中継端子（１４０）は、前記モータ（２０）の電源の供給に用いられるモータ端子に接続する電源供給端子（１４０ｂ）と、前記モータ（２０）のグランド接続に用いられるモータ端子に接続するグランド端子（１４０ａ）と、を備え、前記電源供給端子（１４０ｂ）及びグランド端子（１４０ａ）は、前記モータ（２０）に対応してハウジング（１１０）内に設けられていることを特徴とする請求項１から３のいずれかに記載の中継コネクタ。
【請求項５】
前記第１の接触部（１８０ｇ）は、前記アースコンタクト（１８０）の本体側より略Ｕ字状に屈曲して形成され、その屈曲形状の付勢力によって前記モータ（２０）の外面の一部と押圧接触することを特徴とする請求項１から４のいずれかに記載の中継コネクタ。
【請求項６】
前記グランドコンタクト（Ｙ）は、その一部に平面部（１６２）を有し、
前記第２の接触部（１８０ｂ，１８０ｃ）は、前記アースコンタクト（１８０）の本体の平面部より前記グランドコンタクト（Ｙ）側に鋭角をなして結合する複数の接合部材を有し、
前記複数の接合部材は、前記平面部（１６２）が前記接合部材間に挿入されるとき、前記平面部（１６２）に対し両側から挟接することを特徴とする請求項１から５のいずれかに記載の中継コネクタ。
【発明の詳細な説明】
【技術分野】
【０００１】
本発明は中継コネクタに関し、より詳細には、モータと、例えば電動ドアミラー本体側の外部コネクタとの中継して接続するのに好適で、モータから発生するノイズを除去する機能を有する中継コネクタに関する。
【背景技術】
【０００２】
この種の背景技術として、例えば、下記特許文献１に開示された小型モータ用のコネクタが知られている。
【０００３】
このコネクタは、エンドプレートに一対の雄型端子を有するモータを、プリント基板に接続するのに使用できる中継コネクタであって、その構成は、一方の雄型端子に接続したコネクタピンと、他方の雄型端子に接続したコネクタピンと、これらのコネクタピンを収容するコネクタ本体と、両コネクタピンの先端部分が臨む挿入孔と、を備えている。
【０００４】
また、小型モータを実装するときには、最初に、モータのエンドプレート側から上記コネクタをモータに組み込み、次いで、電源ラインとグランドラインを有するプリント基板を、コネクタ本体の挿入孔に差し込むようにする。
このように、煩雑な結線作業を要することなく、プリント基板にモータを実装することができる。
【特許文献１】特開平５−１１５１４８号公報
【発明の開示】
【発明が解決しようとする課題】
【０００５】
近年では複数のモータを内蔵したモータユニットが各種分野で利用されている。また、その代表例として自動車のドアミラーやバックモニター用カメラに組み込まれたモータユニットが知られている。これらの装置は、通常、２つのモータを個別に制御して駆動することで、鏡やレンズの角度を調整している。
【０００６】
ところで、ドアミラーあるいはその周辺には、例えば、各種センサやカメラ等の電子機器が搭載されることがある。そして、自動車の電動ドアミラーに搭載されるモータは、作動時にノイズを発生させることがあるが、このノイズはモータ回路内ばかりではなく、モータ駆動によりモータボディー側からも発生する。このような場合、モータからのノイズにより、センサやカメラ等の電子機器への送られる各種信号に乱れが生じる等の悪影響があるため、前記ノイズの除去が必要になる。
【０００７】
そのため、モータ自体にボディーアース構造を用い、またノイズフィルタとしての電子部品（例えば、バリスタ）を搭載することが考えられるが、これを搭載すると、モータ自体がコスト高になってしまう。
【０００８】
本発明は、このような事情に鑑みてされたもので、モータが発生するノイズの除去機能を有し、モータと外部コネクタの本体側端子とを容易に接続するのに好適な中継コネクタを提供することを課題とする。
【課題を解決するための手段】
【０００９】
本発明は、前記課題を解決するため以下の手段を採用した。
すなわち、本発明にかかる中継コネクタは、モータ端子を設けてなるモータと、外部コネクタとを中継して接続する中継コネクタであって、
前記外部コネクタは、グランド側に接続する第１の外部端子と、前記モータに電力を供給する第２の外部端子と、を備え、
前記中継コネクタは、前記モータ端子、第１の外部端子及び第２の外部端子を挿入するための挿入口を有すると共に、
前記第１の外部端子と前記モータ端子とを中継して接続するグランドコンタクトと、前記第２の外部端子と前記モータ端子とを中継して接続する電源コンタクトと、前記グランドコンタクト及びモータの外面の一部と接続するアースコンタクトと、を備え、
前記アースコンタクトは、前記モータの外面の一部と接触する第１の接触部と、グランドコンタクト側の一部と接触する第２の接触部と、を有することを特徴とする。
【００１０】
なお、本発明にかかる中継コネクタにおいて、前記第１の接触部は、前記アースコンタクトの本体側より略Ｕ字状に屈曲して形成され、その屈曲形状の付勢力によって前記モータの外面の一部と押圧接触することを特徴とする構成としてもよい。
【００１１】
また、本発明にかかる中継コネクタにおいて、前記グランドコンタクトは、その一部に平面部を有し、
前記第２の接触部は、前記アースコンタクトの本体の平面部より前記グランドコンタクト側に鋭角をなして結合する複数の接合部材を有し、
前記複数の接合部材は、前記接点部が前記接合部材間に挿入されるとき、前記接点部の平面部に対し両側から挟接することを特徴とする構成としてもよい。
【００１２】
このように、モータを、モータ端子を介して中継コネクタに接続すると、第１の接触部の付勢力によりモータの外面の一部（バックプレート）を押圧接触する。そして、モータが発するノイズを吸収するためのアースコンタクトを経由して、グランドコンタクトが接続されるので、モータ自体にボディーアース構造を用い、またノイズフィルタとしての電子部品（例えば、バリスタ）を搭載することなく、モータが発生するノイズの除去機能を有し、モータと外部コネクタの本体側端子とを容易に接続するのに好適な中継コネクタを提供することができる。
【００１３】
さらに、本発明にかかる中継コネクタにおいて、第１の接合面及び第２の接合面を有するハウジングを備え、前記第１の接合面は、前記モータのモータ端子に接続される第１中継端子を有し、前記第２の接合面は、前記第１の接合面とは異なる面に設けられ、前記外部端子に接続される第２中継端子を有し、前記第１中継端子と前記第２中継端子は、前記ハウジング内で電気的に接続していることを特徴とする。
【００１４】
このように、外部端子より供給される電力を、第２の接合面に設けられた第２中継端子と第１の接合面に設けられた第１中継端子を経由してモータのモータ端子から各モータに供給する。
【００１５】
本発明によれば、中継コネクタに対してバックプレート側にモータ端子を有する汎用モータを外部端子に接続することができる。また、中継コネクタの第２の接合面側、すなわちモータの径方向に位置したデッドスペースにおいて、各モータに対する外部端子の接続作業を行える。
【００１６】
さらに、本発明にかかる中継コネクタにおいて、前記第２中継端子は、この第２中継端子に対する外部端子の接続方向が、前記モータ端子に対する第１中継端子の接続方向に対して直角となるように前記第２の接合面に設けられていることが好ましい。
【００１７】
このようにすれば、モータ端子に対して外部端子をモータの径方向から接続できる。また、第２中継端子に対する結線作業が更に容易になる。なお、接続方向に対して直角とは
、厳密に９０度を意図するものではなく、第２の接合面において配線作業を行える角度であれば幅があってもよい。
【００１８】
さらに、本発明にかかる中継コネクタにおいて、前記第１中継端子は、前記モータの電源の供給に用いられるモータ端子に接続する電源供給端子と、前記モータのグランド接続に用いられるモータ端子に接続するグランド端子と、を備え、前記電源供給端子及びグランド端子は、前記モータに対応してハウジング内に設けられていることが好ましい。
【００１９】
本発明の中継コネクタは、例えば、ドアミラーの駆動用モータユニットに接続するコネクタとして好適に用いられるが、これに限られず、ノイズを発生する電機部品を有し、ノイズ除去のためにコンデンサ、抵抗、フィルタ等の電子部品が接続されるコネクタについて広く用いることができる。
【００２０】
また、上記課題を解決するための手段に記載の各種構成は、本発明の課題や技術的思想を逸脱しない限りにおいて、これらを適宜組合わせることができる。
【発明の効果】
【００２１】
本発明の中継コネクタによれば、ノイズフィルタとしての電子部品（例えば、バリスタ）を搭載することなく、モータが発生するノイズの除去機能を有し、モータと外部コネクタの本体側端子とを容易に接続するのに好適な中継コネクタを提供することができる。
【００２２】
また、本発明の中継コネクタによれば、安価な汎用モータが使用できる。また、モータに対する配線作業も容易であるから、筐体内の限られた空間に各モータを設置することができる。また、配線作業も容易であり、しかもモータ実装時の縦横比率を小さくできることから筐体を小型化することも可能である。
【発明を実施するための最良の形態】
【００２３】
以下、図面を参照して本発明を車輌用ドアミラーの鏡面角度調整機構に適用した実施の形態について説明する。
【００２４】
［外部コネクタ２００］
最初に、車輌用ドアミラーの鏡面角度調整機構のコネクタである外部コネクタについて説明する。
図１１に示すように、外部コネクタ２００は、ハウジング２１０内に挿入された略Ｌ字形の４つのＬ字型端子２２０ａ，２２０ｂ（２２０ａ，２２０ｂ）が、それぞれ所定位置に並設されている。これらのＬ字型端子２２０ａ，２２０ｂは、図面において水平方向（Ｘ軸方向）に突出した一端に電線１９０が圧着されて、それぞれ電源供給側及びグランド側に接続される。なお、前記Ｌ字型端子２２０ａ，２２０ｂに電線１９０を接続する方法は、圧着に限定することではなく、圧接、半田付け、プレス等、電気的接続が可能な方法を適宜選択してもよい。
【００２５】
そして、外部コネクタ２００のＬ字型端子２２０ａがグランド側に接続され、Ｌ字型端子２２０ｂが電力供給側に接続される。これらのＬ字型端子２２０ａ，２２０ｂは、後述するように、垂直方向（Ｚ軸方向）に向いた他端が、ハウジング２１０の上部に並列して設けられる２個のモータ２０，２０及び中継コネクタ１００（図１参照）に接続される。
【００２６】
上述した外部コネクタ２００を含むコネクタユニットは、例えば、ドアミラーの角度調整機構に応用することができる。
【００２７】
［ドアミラーの角度調整機構］
ドアミラーの角度調整機構は、汎用の角度調整機構と同様に、例えば、表面に鏡が設けられたホルダ（図示せず）と、このホルダを背面側から角度自在に支持する支持部（図示せず）と、支持部に隣接して設けられた後述するモータユニット及び外部コネクタ２００を収容する筐体Ｋとを備えている（図１２参照）。この筐体Ｋは、ドアミラーの一部を構成するものである。
【００２８】
筐体Ｋ内では、図１３に示すようなレイアウトで外部コネクタ２００及びモータユニットが組込まれる。このようなレイアウトによって、本来デッドスペースとなるモータ上方の空間で各モータの配線を一括して処理することができる。
【００２９】
［モータユニット］
図９又は図１０に示すように、モータユニットは、例えば、ホルダの角度を車輌の上下軸方向に調整するモータ２０と、前記ホルダの角度を車輌の左右方向に調整するモータ２０と、及び中継コネクタ１００を備えている。
【００３０】
モータ２０，２０の出力軸２１，２１には、ホルダを旋回させるためのピニオンギヤやウォームギヤ（図示せず）などが取付けられる。したがって、モータ２０，２０に対して適宜電力を供給することでこれらの前記出力軸２１，２１が回転し、前記ホルダは、所望の角度で支持されることになる。
【００３１】
本実施の形態では、モータ２０として図１４に示すような汎用モータを使用している。この汎用モータは、内部の回転子と、回転子と一体に回転する出力軸２１と、回転子を支持するバックプレート２２と、このバックプレート２２に設けられた一組のモータ端子２３、２４と、回転子の外周を包囲すると共にその径方向の対向部分において平行な側端面２５を有するケーシング２６を備えている。なお、モータ２０，２０は並列して配置され、これらのモータに電力を供給するための中継コネクタ１００が接続される（図１０参照）。
【００３２】
そして、外部コネクタ２００は、モータ２０、２０及び中継コネクタ１００を並列に接続したモータユニットに電力を供給すると共に、モータユニット側に生じたノイズを中継コネクタ１００を介してグランド側に除去する機能を有する。
【００３３】
［中継コネクタ１００］
中継コネクタ１００は、図１に示すように、略矩形のハウジング１１０と、ハウジング１１０内に組込まれたモータ接続面１２０側の第１中継端子１４０及び外部コネクタ接続面１３０側の第２中継端子１５０と、アースターミナル１８０と、を備えている。
【００３４】
［ハウジング１１０］
ハウジング１１０は、モータ接続面１２０と外部コネクタ接続面１３０とを有し、モータ２０、２０の実装時において、モータ接続面１２０には、モータ２０のバックプレート２２側が装着され、外部コネクタ接続面１３０側にはＬ字型端子２２０ａ，２２０ｂ（２２０ａ，２２０ｂ）を介して外部コネクタ２００が取り付けられる。なお、モータ接続面１２０（第１の接合面）と外部コネクタ接続面１３０（第２の接合面）は直角の縁部１１１（屈曲部）を隔てて連続している。
【００３５】
図１において、ハウジング１１０の正面側に位置した接合面がモータ接続面１２０であり、また、ハウジング１１０の上面に相当する接合面が外部コネクタ接続面１３０である。
以下、説明の便宜を図る上で、図１の上下の関係及び左右の関係を、本実施の形態に示す中継コネクタ１００の説明に用いる。
【００３６】
ハウジング１１０の正面に位置したモータ接続面１２０には、モータ端子２３、２４に電気的に接続可能な第１中継端子１４０が設けられている。この第１中継端子１４０は、各モータ２０、２０の電源供給に用いられるモータ端子２３に接続して各モータ２０、２０に電力を供給する電源供給端子１４０ｂと、各モータ２０、２０の回路側に生じるノイズの除去に用いられるモータ端子２４に接続するグランド端子１４０ａとを有する。
【００３７】
図３の右左下側にそれぞれ位置した雌型端子がグランド端子１４０ａである。そして、モータ接続面１２０に設けられたグランド端子用の挿入口１２１内にこれらグランド端子１４０ａが臨んでいる。また、図３の右左上側に位置した雌型端子が電源供給端子１４０ｂである。そして、モータ接続面１２０に設けられた電源供給端子用の挿入口１２２内に、これら電源供給端子１４０ｂが臨んでいる。
【００３８】
［グランド端子１４０ａ及び電源供給端子１４０ｂ］
また、グランド端子１４０ａと電源供給端子１４０ｂは、各モータ２０、２０に対応して、モータ接続面１２０の上下方向に１つずつ、さらにモータ接続面１２０の左右方向に１つずつ配置されている。
【００３９】
グランド端子１４０ａ及び電源供給端子１４０ｂは、各モータ２０、２０の実装にあたり、これらモータ２０、２０の側端面２５どうしが対向位置にあり、かつ互いに近接した実装態様を許容し得る端子配置に従ってモータ接続面１２０に設けられている。
【００４０】
さらに詳しくは、図１５に示すように、モータ２０、２０の側端面２５、２５が対向した状態で、かつ互いに近接している実装態様に従い、並設されたグランド端子１４０ａどうしの距離、及び電源供給端子１４０ｂどうしの距離が定められる。
【００４１】
すなわち、図１５に示すＬａ（軸受部２７間の距離）が、図３に示す各端子１４０ａ、１４０ｂの隣接端子間距離Ｌに対応している。よって、モータ実装時の縦横比率が最小となるレイアウトでモータ２０、２０をモータ接続面１２０に対して並べて実装することができる。
【００４２】
このように、モータ２０の実装時において、一方のモータ２０の側壁面２５と他方のモータ２０の側壁面２５が対向位置にあり、かつ近接した実装態様を許容し得る端子配置に従って中継コネクタ１００のモータ接続面１２０（第１の接合面）に電源供給端子１４０ｂ及びグランド端子１４０ａを設けることで、モータ実装時の縦横比率が最小となるレイアウトで、モータ２０を中継コネクタ１００に対して並べて接続することができる。なお、ここで近接した実装態様とは、側端面どうしを対向配置することでモータ実装時の縦横比率を減少させ得る程度でもよく、必ずしも側端面同士を接触させた状態に限定されるものではない。
【００４３】
［外部コネクタ接続面１３０］
続いて、外部コネクタ接続面１３０について説明する。
図４に示すように、ハウジング１１０の上面に位置した外部コネクタ接続面１３０には、外部グランド端子１５０ａと、外部電源導入端子１５０ｂと、が設けられている。外部グランド端子１５０ａは、モータ接続面１２０（図３参照）に設けられたグランド端子１４０ａに電気的に接続する。また、外部電源導入端子１５０ｂは、モータ接続面１２０に設けられた電源供給端子１４０ｂに電気的に接続し電力を供給する。
【００４４】
また、外部コネクタ接続面１３０には、図１に示すように、外部グランド端子１５０ａが臨む挿入孔１３２と、外部電源導入端子１５０ｂが臨む挿入孔１３１とが開口しており
、外部グランド端子１５０ａ及び外部電源導入端子１５０ｂには、後に詳述する外部コネクタ２００のＬ字型端子２２０ａ，２２０ｂが接続される。
【００４５】
［グランドコンタクトＹ］
外部グランド端子１５０ａとグランド端子１４０ａは、導電性のプレートを打ち抜き加工により一体成形したものであり、図５に示すように、Ｌ型のほぼ中間には平板状の平面部１６２が形成されている。また、この平面部１６２には突状の固定部１６３が設けられている。この平面部１６２は後述するアースターミナル１８０に挟接され、また、突状の固定部１６３はハウジング１１０に圧入されることで、一体品のソケットターミナル（グランドコンタクトＹ）としてハウジング１１０内に組込まれる。また、この突状の固定部１６３を含む平面部１６２がアース接触部として機能する。また、Ｌ型の一方に外部グランド端子１５０ａが設けられ、他方にグランド端子１４０ａが設けられている。なお、組み込み後、外部グランド端子１５０ａは、外部グランド端子用の挿入口１３２に臨むように配置され、グランド端子１４０ａは、グランド端子用の挿入口１２２に臨むように配置される。
【００４６】
［電源コンタクトＸ］
一方、外部電源導入端子１５０ｂと電源供給端子１４０ｂも、導電性のプレートを打ち抜き加工により一体成形したものであり、図６に示すように、Ｌ型のほぼ中間部に外部電源導入端子１５０ｂが設けられている。また、Ｌ型の一方に電源供給端子１４０ｂが設けられ、他方に平板状かつ突状の固定部１６１が設けられている。この突状の固定部１６１はハウジング１１０へ圧入することで、一体品のソケットターミナル（電源コンタクトＸ）として固定部１６１を介してハウジング１１０内に独立して組込まれる。なお、組み込み後、外部電源導入端子１５０ｂは、外部電源導入端子用の挿入口１３１に臨むように配置され、電源供給端子１４０ｂは、電源供給端子用の挿入口１２１に臨むように配置される。
【００４７】
［アースターミナル１８０］
本実施の形態では、グランドコンタクトＹとハウジング１１０内で接続しモータ２０に発生するノイズを除去するためのアースターミナル１８０をハウジング１１０内に備えている。
【００４８】
アースターミナル１８０は、導電性のプレートを打ち抜き加工により一体成形したものであり、図７，図８に示すように、ハウジング１１０内に独立して組込む際の固定部である２つの第１固定部１８０ａ及び第２固定部１８０ｈと、グランドコンタクトＹ側の突状の固定部１６３を含む平面部１６２に対し両側から挟接するアース接触部１８０ｂ，１８０ｃ（図２参照）と、モータ２０のボディ（軸受部２７）と接触するモータ接触部（第１の接触部）１８０ｇと、それらを繋ぐ継ぎ手部材１８０ｄ，１８０ｅ，１８０ｆと、を備えている。
【００４９】
継ぎ手部材１８０ｄ，１８０ｅ，１８０ｆはそれぞれ矩形状のプレートであって９０°の角度をなして結合しており、継ぎ手部材１８０ｄと継ぎ手部材１８０ｆの上面が段違い平行の状態で配置されている。
【００５０】
継ぎ手部材１８０ｄは、その矩形状の一面に所定間隔を置くと共に継ぎ手部材１８０ｄの上面に対し９０°の角度をなして第１固定部１８０ａを結合している。また、継ぎ手部材１８０ｆは、その矩形状の両側にあって継ぎ手部材１８０ｆの上面に対し９０°の角度をなして第２固定部１８０ｈを結合している。２つの第１固定部１８０ａ及び第２固定部１８０ｈはハウジング１１０へ圧入することで、一体品のソケットターミナル（アースターミナル１８０）として第１固定部１８０ａ及び第２固定部１８０ｈを介してハウジング
１１０内に独立して組込まれる。
【００５１】
アース接触部（第２の接触部）１８０ｂ，１８０ｃは、継ぎ手部材１８０ｄの矩形状の両側にあって所定間隔を置くと共に継ぎ手部材１８０ｄの上面に対し７０°程度の鋭角をなして結合している。なお、アース接触部１８０ｂ，１８０ｃの先端部はそれぞれ図８の図面上、外側に屈曲して形成されている。そして、アース接触部１８０ｂ，１８０ｃの先端部は、グランドコンタクトＹ側の突状の固定部１６３を含む平面部１６２がアース接触部１８０ｂ，１８０ｃの間に挿入されるとき、その挿入を容易にすると共に、挿入後は突状の固定部１６３を含む平面部１６２に対し両側から挟接する。
【００５２】
なお、本実施の形態で採用する汎用モータは、回転子の軸受部２７をバックプレート２２側に突出して有するため、モータ接続面１２０を構成するハウジング１１０には、軸受部２７の突出を許容する深さの凹部１１５が設けられている。そして、モータ２０の実装時に、この凹部１１５によってモータ接続面１２０を構成するハウジング１１０と軸受部２７の干渉を回避することができるようになっている。
【００５３】
モータ接触部（第１の接触部）１８０ｇは、継ぎ手部材１８０ｆの一端より略Ｕ字状に折れ曲がった状態で結合している。そして、モータ接触部１８０ｇの先端部は、図８の図面上、下側に屈曲して形成されている。この屈曲した頂部が、モータ２０の軸受部２７を中継コネクタ１００の凹部１１５に装着する時にモータ２０の軸受部２７にその付勢力によって押圧接触する。なお、グランドコンタクトＹの平面部１６２とアースターミナル１８０は、図２に示すように、アース接触部１８０ｂ，１８０ｃによって、その電気的接続状態が維持され、更に、外部コネクタ２００側のＬ字型端子２２０ｂを介してグランド側にノイズ除去される。
【００５４】
外部コネクタ２００について、更に詳しく説明する。
外部コネクタ２００は、外部グランド端子１５０ａ及び外部電源導入端子１５０ｂ等の複数の端子で構成される第２中継端子１５０に対して挿抜自在であり、外部端子としてのＬ字型端子２２０ａ，２２０ｂを複数備えている（図１１参照）。また、Ｌ字型端子２２０ａ，２２０ｂを収容するハウジング２１０を備え、各Ｌ字型端子２２０ａ，２２０ｂは、その先端部分が外部コネクタ接続面１３０側に延在した状態でハウジング２１０内に設けられる。
【００５５】
また、ハウジング２１０において、コンデンサＣは、電源供給側に接続されたＬ字型端子２２０ｂとグランド側に接続しているＬ字型端子２２０ａとの間に介在するが、コンデンサＣの保持機能を備えた電子部品接続用端子Ｔにより、振動や衝撃によってコンデンサＣが脱落しないように保持される構造となっている。
【００５６】
また、ハウジング２１０は、中継コネクタ１００との接続時にモータ２０の軸方向に延在しており、外部コネクタ２００のＬ字型端子２２０ａ，２２０ｂの先端部分は、外部コネクタ接続面１３０に設けられた第２中継端子１５０の対応する端子１５０ａ、１５０ｂに電気的に接続する。すなわち、外部コネクタ２００は、中継コネクタ１００との接続時に、モータ２０の上方を覆う形でモータユニットに組込まれることになる。
【００５７】
ここでＬ字型端子２２０と、上述の第２中継端子１５０、及び第１中継端子１４０、モータ端子２３、２４の相対的な接続角度について述べると、Ｌ字型端子２２０は第２中継端子１５０に対してハウジング１１０の上方から接続され、モータ端子２３、２４は第１中継端子１４０に対してハウジング１１０の正面側から接続されることになる。したがって、モータ端子２３、２４に対する第１中継端子１４０の接続方向が、Ｌ字型端子２２０の接続方向に対して相対的に直角となるように第２中継端子１５０が設けられている。
【００５８】
このように本実施の形態に示す外部コネクタ２００は、Ｌ字型端子２２０より供給された電力を、外部コネクタ接続面１３０に設けられた第２中継端子１５０とモータ接続面１２０に設けられた第１中継端子１４０を経由して各モータ２０、２０のバックプレート２２側のモータ端子２３，２４から各モータ２０、２０に供給している。よって、実質的には、モータ端子２３、２４に対して外部端子たるＬ字型端子２２０をモータの径方向から接続でき、以て、モータ２０の上方に位置したデッドスペースにおいて、モータ２０に対する配線作業が可能となる。
【００５９】
以下、本実施の形態の中継コネクタ１００の組立て工程を説明する。
中継コネクタ１００に、図３に示すように、２個のアースターミナル１８０をモータ接続面１２０側から凹部１１５へ第１固定部１８０ａ及び第２固定部１８０ｈを介して圧入し２個装着する。次に、グランドコンタクトＹ及び電源コンタクトＸを、図４に示すように、それぞれ２個ずつハウジング１１０に圧入して装着する。すると、図２に示すように、グランドコンタクトＹの平面部１６２をアース接触部１８０ｂ，１８０ｃが両側から挟接する。
【００６０】
モータ２０を、モータ端子２３、２４を介して中継コネクタ１００に接続すると、モータ接触部１８０ｇの付勢力によりモータ２０の軸受部２７を押圧接触する。
【００６１】
また、本実施の形態では、モータ２０が発するノイズを吸収するためのアースコンタクト１８０を経由して、グランド端子（グランドコンタクトＹ）が接続されるので、ノイズ除去仕様のモータを使用することなく、安価なノイズ除去機能を有しモータと外部端子との接続にも好適な中継コネクタ１００を提供することができる。
【００６２】
なお、ハウジング２１０は蓋体（図示せず）を備え、各端子をハウジング２１０内に組込んだ後、蓋体を閉じることでドアミラーの角度調整機構の外部コネクタが完成する。
【００６３】
上記実施の形態はあくまでも一実施の形態であり、その詳細は所望に応じて適宜変更可能である。
たとえば、モータ接続面１２０の側部に、モータ端子２３、２４をスライドさせながら受け入れガイド溝を形成してモータ接続面１２０にモータを実装する。また、Ｌ字型端子２２０に変えてストレート型の外部端子を中継コネクタ１００の上方から差し込む。また、２個のモータのみならず３個以上のモータを実装するなどの構成も考えられる。
【００６４】
また、上記実施の形態では、本中継コネクタ１００を車輌用ドアミラーの角度調整機構に採用した例について説明したが、本発明の電気コネクタは複数のモータを並設して搭載するモータユニットを用いる機器全般に適用できるものである。
【００６５】
さらに、上記実施の形態では、図３、図４及び図５に示すように、モータ接続面１２０に対して２つ設けられるグランド端子１４０ａ，１４０ａは、各々が独立し、各々のグランド端子１４０ａ，１４０ａに対して２個の外部グランド端子１５０ａ，１５０ａがそれぞれ電気的に接続している例を示したが、別の実施の形態として、電気的に短絡しているグランド端子１４０ａ，１４０ａが１個の外部グランド端子１５０ａと電気的に接続している構成も例示できる。
【図面の簡単な説明】
【００６６】
【図１】本実施の形態に係る中継コネクタの斜視図である。
【図２】アースコンタクトとグランドコンタクトとの接触部、及びアースコンタクトとモータとの接触部と示す断面図である。
【図３】本実施の形態に係る中継コネクタをモータ側から見た平面図である。
【図４】本実施の形態に係る中継コネクタを図３の裏面側から見た平面図である。
【図５】グランドコンタクトの斜視図である。
【図６】電源コンタクトの斜視図である。
【図７】アースコンタクトの斜視図である。
【図８】アースコンタクトの側面図である。
【図９】外部コネクタの斜視図である。
【図１０】モータユニットの斜視図である。
【図１１】外部コネクタの内部構造を示す斜視図である。
【図１２】完成したハウジングを含むアセンブリを示す斜視図である。
【図１３】外部コネクタの内部構造及び外部コネクタに接続されるモータユニットを示す断面図である。
【図１４】汎用モータを説明するための図である。
【図１５】本実施の形態に係るモータの実装態様を説明するための図である。
【符号の説明】
【００６７】
２０      モータ
２１      出力軸
２２      バックプレート
２３      モータ端子
２４      モータ端子
２５      側端面
２６      ケーシング
２７      軸受部
１００    中継コネクタ
１１０    ハウジング
１１１    縁部
１１４    収容部
１１５    凹部
１２０    モータ接続面（第１の接合面）
１２１    グランド短絡端子用の挿入口
１２２    電源供給端子用の挿入口
１３０    外部コネクタ接続面（第２の接合面）
１３１    外部電源導入端子用の挿入孔
１３２    外部グランド短絡端子用の挿入孔
１４０    第１中継端子
１４０ａ  グランド端子
１４０ｂ  電源供給端子
１５０    第２中継端子
１５０ａ  外部グランド端子
１５０ｂ  外部電源導入端子
１６１    固定部
１６２    平面部
１６３    固定部
１８０    アースコンタクト
１８０ａ  第１固定部
１８０ｂ，１８０ｃ  アース接触部（第２の接触部）
１８０ｄ，１８０ｅ，１８０ｆ  継ぎ手部材
１８０ｇ  モータ接触部（第１の接触部）
１８０ｈ  第２固定部
２００    外部コネクタ
２１０    ハウジング
２２０ａ  Ｌ字型端子（第１の外部端子）
２２０ｂ  Ｌ字型端子（第２の外部端子）
Ｃ        コンデンサ（電子素子）
Ｋ        筐体
Ｔ        電子部品接続用端子
Ｘ        電源コンタクト
Ｙ        グランドコンタクト
【図１】
2006351294.tif 000003
【図２】
2006351294.tif 000004
【図３】
2006351294.tif 000005
【図４】
2006351294.tif 000006
【図５】
2006351294.tif 000007
【図６】
2006351294.tif 000008
【図７】
2006351294.tif 000009
【図８】
2006351294.tif 000010
【図９】
2006351294.tif 000011
【図１０】
2006351294.tif 000012
【図１１】
2006351294.tif 000013
【図１２】
2006351294.tif 000014
【図１３】
2006351294.tif 000015
【図１４】
2006351294.tif 000016
【図１５】
2006351294.tif 000017